(57)【要約】      （修正有）【課題】ビス頭部の外形や厚み等に関係なく、対応するビス頭部の形状の制約を緩和し、それにより、対応するビスの種類を拡大するとともに、例えば被締結部材の先穴位置を狙って打ち込むようなことも可能とした連続ビス締付機に用いるビスロープを提供するものである。【解決手段】ビスロープ６は、長さ方向に連なる帯状部材７とこの帯状部材７の背面側に所定の間隔をもって設ける綴り片８とにより各ビスＳのネジ部Ｓ１の一定部位を所定の平行間隔をもって、かつ、所定の傾斜角度θをもって斜め配置に保持するとともに、帯状部材７の正面側にその長さ方向に沿ってガイド溝９を連続形成し、帯状部材９の正面側において、ガイド溝９の上側位置に多数の上側凹陥部１０ａを点在状態に、かつ、全長にわたって設け、ガイド溝９の下側位置に多数の下側凹陥部１０ｂを点在状態に、全長にわたって設けた構成としたものである。【選択図】図１０
2018105342.tif 000002
【特許請求の範囲】
【請求項１】
ビス締め付け用のビットを突設配置してこのビットをスイッチ操作とクラッチで回転駆動するグリップユニットと、前記ビットの先端を締付作用位置に臨ませるとともに締付作用位置の側方に設けたフィーダブロック及びこのフィーダブロックに対向配置したガイドカバーを具備し、傾斜形状に形成されたビスロープの誘導用のガイド突起部を具備するビス締付機本体ユニットと、ビスロープにより保持された多数のビスを順に供給するマガジンユニットと、を有する連続ビス締付機に用いるビスロープであって、
前記ビスロープは、長さ方向に連なる帯状部材とこの帯状部材の背面側に所定の間隔をもって設ける綴り片とにより各ビスのネジ部の一定部位を所定の平行間隔をもって、かつ、前記ガイド突起部の傾斜角度に対応する所定の傾斜角度をもって斜め配置に保持するとともに、前記帯状部材の正面側においてその長さ方向に沿ってガイド溝を連続形成して構成され、
前記ビスロープが使用された際、前記ガイドカバーのガイド突起部と前記ビスロープのガイド溝との係合により前記ビスロープを傾斜状態で、かつ、各ビスを垂直状態としつつ前記ビットの締付作用位置側に至るほど各ビスのビス頭の高さ位置を低下させる態様で前記締付作用位置へ順に誘導し、各ビスの締め付け動作終了後、締付作用位置の側方にビスの離脱部位が順に排出されるように構成したこと、
を特徴とする連続ビス締付機に用いるビスロープ。
【請求項２】
ビス締め付け用のビットを突設配置してこのビットをスイッチ操作とクラッチで回転駆動するグリップユニットと、前記グリップユニットの下方に配置されて、前記グリップユニットを下降、上昇可能に支持し、前記ビットの先端を締付作用位置に臨ませるとともに、締付作用位置の側方に設けたフィーダブロック及びこのフィーダブロックに対向配置したガイドカバーを具備し、前記フィーダブロック及びガイドカバー間においてビスロープにより支持された複数のビスを前記締付作用位置に誘導し下方の締付対象箇所に連続的に締め付けるとともに、前記ガイドカバーの前記ビスロープを誘導する側の壁面には、前記ビスロープの送り込み先方側に向けて下降する傾斜形状に形成された前記ビスロープの誘導用のガイド突起部を具備するビス締付機本体ユニットと、ビスロープにより保持された多数のビスを順に供給するマガジンユニットと、を有する連続ビス締付機に用いるビスロープであって、
前記ビスロープは、長さ方向に連なる帯状部材とこの帯状部材の背面側に所定の間隔をもって設ける綴り片とにより各ビスのネジ部の一定部位を所定の平行間隔をもって、かつ、前記ガイド突起部の傾斜角度に対応する所定の傾斜角度をもって斜め配置に保持するとともに、前記帯状部材の正面側においてその長さ方向に沿ってガイド溝を連続形成して構成され、
前記ビスロープが使用された際、前記ガイドカバーのガイド突起部と前記ビスロープのガイド溝との係合により前記ビスロープを傾斜状態で、かつ、各ビスを垂直状態としつつ前記ビットの締付作用位置側に至るほど各ビスのビス頭の高さ位置を低下させる態様で前記締付作用位置へ順に誘導し、各ビスの締め付け動作終了後、締付作用位置の側方にビスの離脱部位が順に排出されるように構成したこと、
を特徴とする連続ビス締付機に用いるビスロープ。
【請求項３】
前記ビスロープにおける帯状部材の正面側において、前記ガイド溝以外の位置に前記帯状部材の長さ方向に対して多数の凹陥部を点在状態に、かつ、全長にわたって設けていることを特徴とする請求項１又は２記載の連続ビス締付機に用いるビスロープ。
【請求項４】
前記ビスロープにおける帯状部材の正面側において、前記ガイド溝の上側位置であって、かつ、その背面側の隣り合う前記綴り片の間の位置に対応する位置、及び前記ガイド溝の下側位置であって、かつ、その背面側の綴り片の位置に対応する位置の双方に、各々前記帯状部材の長さ方向に対して多数の凹陥部を点在状態に、かつ、全長にわたって設けていることを特徴とする請求項１又は２記載の連続ビス締付機に用いるビスロープ。
【発明の詳細な説明】
【技術分野】
【０００１】
本発明は、連続ビス締付機に用いるビスロープ（登録商標「ＶＩＳＲＯＰＥ」）に関し、詳しくは、連続ビス締付機を使用する場合、その締付機に多数のビスを装着したビスロープを使用する際、ビス頭部の直径の大きさによる、ビスの連結ピッチの制限を緩和し、ビス頭部の外形や厚み等に関係なく、対応するビス頭部の形状の制約を緩和し、それにより、対応するビスの種類を拡大するとともに、例えば被締結部材の先穴位置を狙って打ち込むようなことも可能とした連続ビス締付機に用いるビスロープに関するものである。
【背景技術】
【０００２】
従来、例えば木板、金属板又は石膏板等の板材を床面又は壁面に固定するために、ビスを連続的に締め付ける連続ビス締付機が提案されている。
【０００３】
例えば、特許文献１には、グリップハンドルを形成した締付機本体に駆動機を内蔵するとともに、該駆動機にビス締付用のビットを着脱自在に連結し、前記締付機本体の前部に、前後方向へ摺動自在になるようにビス送り機構本体を取り付け、該ビス送り機構本体内に前記ビットを回転自在に挿通させ、また該締付機本体に該ビットによるビスの締め付け深さを調節する締付深さ調節機構を構成し、前記ビス送り機構本体に、多数のビスを帯状部材に並列状態に取り付けたビスロープの各ビスを、上記ビットによる締付動作に伴うビス送り機構本体の前後方向への摺動に連動して順次上記ビットによる締付作用位置に送り出すビス送り機構を構成し、また、前記ビス送り機構本体に、当接面を突設して成る先端ブロックを該ビス送り機構本体に対して前後方向の所望位置に固定できるように構成した連続ビス締付機が提案されている。
【０００４】
上記特許文献１の連続ビス締付機におけるビスロープ１０１の場合、図１７、図１８に示すように、多数のビスＳを、帯状部材１０２と綴り片１０３とによりこの帯状部材１０２の側面に所定の間隔で、かつ、前記帯状部材１０２に対し直交する配置で並列状態に保持する簡略な構造により構成したものであり、また、上記特許文献１の連続ビス締付機におけるビス送り機構は、前記ビスロープ１０１により保持している各ビスＳを、前記ビットによる締付動作に伴う前記ビス送り機構本体の前後方向への摺動に連動して順次平行移動させつつ前記締付作用位置に送り出す構成としている。
【０００５】
上記特許文献１以外でも、従来実用化されている各種の連続ビス締付機におけるビスロープの構成、ビス送り機構の構成は上述した場合と同様なものがほとんどである。
【０００６】
従来においては、特定の連続ビス締付機を使用する場合、その締付機に多数のビスを装着したビスロープを使用可能とするためには、ビス頭部の直径に合わせてビスの連結ピッチを設定する必要があり、仮にビスの連結ピッチ固定となると、これに対応できるビスの種類が限定されてしまうこと、また、仮にビス頭部で各ビスをガイドするとなると、ビス頭部の形状の制約があってビスの種類が更に限定されてしまうこと、更に、元々が締結しようとする特定の穴のない部材を締結する用途には、従来のような構成のビスロープでも使用できるが、従来のような構成のビスロープでは、例えば被締結部材の先穴位置を狙って打ち込むようなことは難しいというのが実情であった。
【先行技術文献】
【特許文献】
【０００７】
【特許文献１】特開平９−１３６２６９号公報
【発明の概要】
【発明が解決しようとする課題】
【０００８】
本発明は、上記従来の事情に鑑み創作されたものであり、特定の連続ビス締付機を使用する場合、その締付機に多数のビスを装着したビスロープを使用する際、ビス頭部の直径の大きさによる、ビスの連結ピッチの制限を緩和し、ビス頭部の外形や厚み等に関係なく、対応するビス頭部の形状の制約が生ずることなく、それにより、対応するビスの種類を拡大するとともに、例えば被締結部材の先穴位置を狙って打ち込むようなことも可能とした連続ビス締付機に用いる構成としたビスロープを提供せんとするものである。
【課題を解決するための手段】
【０００９】
本発明に係る連続ビス締付機に用いるビスロープは、ビス締め付け用のビットを突設配置してこのビットをスイッチ操作とクラッチで回転駆動するグリップユニットと、前記グリップユニットの下方に配置され、前記グリップユニットを下降、上昇可能に支持し、前記ビットの先端を締付作用位置に臨ませるとともに、締付作用位置の側方に設けたフィーダブロック、及びこのフィーダブロックに対向配置したガイドカバーを具備し、前記フィーダブロック、及びガイドカバー間においてビスロープにより支持された複数のビスを前記締付作用位置に誘導し下方の締め付け対象箇所に連続的に締め付けるとともに、前記ガイドカバーの前記ビスロープを誘導する側の壁面には、前記ビスロープの送り込み先方側に向けて下降する傾斜形状に形成された前記ビスロープの誘導用のガイド突起部を具備するビス締付機本体ユニットと、を有する連続ビス締付機に用いるビスロープであって、前記ビスロープは、長さ方向に連なる帯状部材とこの帯状部材の背面側に所定の間隔をもって設ける綴り片とにより各ビスのネジ部の一定部位を所定の平行間隔をもって、かつ、前記ビス締付機本体ユニットのガイド突起部の傾斜角度に対応する所定の傾斜角度をもって斜め配置に保持するとともに、前記帯状部材の正面側にその長さ方向に沿ってガイド溝を連続形成して構成され、前記ガイドカバーのガイド突起部と前記ビスロープのガイド溝との係合により前記ビスロープを傾斜状態で、かつ、各ビスを垂直状態としつつ前記ビットの締付作用位置側に至るほど各ビスのビス頭の高さ位置を低下させる態様で前記締付作用位置へ順に誘導し、各ビスの締め付け動作終了後、締付作用位置の側方にビスの離脱部位が順に排出されるように構成したことを最も主要な特徴とする。
【発明の効果】
【００１０】
請求項１又は２記載の発明によれば、特定の連続ビス締付機用のビスロープとして機能させることができるとともに、各ビスの頭部直径の大小や形状の制約等が減少し、使用するビスの種類選択の自由度を拡大することが可能な連続ビス締付機に用いるビスロープを実現し提供することができる。
【００１１】
請求項３記載の発明によれば、請求項１又は２記載の発明と同様な効果を奏するとともに、前記ガイド溝以外の位置に前記帯状部材の長さ方向に対して多数の凹陥部を点在状態に、かつ、全長にわたって設けているので、ビスロープのコイル状への巻回時における前記ガイド溝の曲げバランスが良好となり、この結果、保持される多数のビスを全体として良好な状態で塊状として保持することが可能な連続ビス締付機に用いるビスロープを実現し提供することができる。
【００１２】
請求項４記載の発明によれば、請求項１又は２記載の発明と同様な効果を奏するとともに、ガイド溝の両側に上側凹陥部、下側凹陥部の双方を設けたものを使用することによって、前記請求項３記載と同様な効果、すなわち、ビスロープのコイル状への巻回時における前記ガイド溝上側、下側の曲げバランスが良好となり、この結果、保持される多数のビスを全体として良好な状態で塊状として保持することが可能な連続ビス締付機に用いるビスロープを実現し提供することができる。
【図面の簡単な説明】
【００１３】
【図１】図１は本発明の実施例に係るビスロープが用いられる連続ビス締付機の正面側から見た全体構成を示す概略斜視図である。
【図２】図２は本実施例に係るビスロープが用いられる連続ビス締付機の側面側から見た全体構成を示す概略斜視図である。
【図３】図３は本実施例に係るビスロープが用いられる連続ビス締付機の上面側から見た全体構成を示す概略斜視図である。
【図４】図４は図１に示すＡ部の概略拡大図である。
【図５】図５は図１に示す矢印Ｃ側から見たビス締付機本体ユニットの部分拡大図である。
【図６】図６は図２に示すＢ部の概略拡大図である。
【図７】図７は本実施例に係るビスロープが用いられるビス締付機本体ユニットを構成するガイドカバーの概略拡大正面図である。
【図８】図８は本実施例に係るビスロープが用いられるビス締付機本体ユニットを構成するガイドカバーの概略拡大背面図である。
【図９】図９は本実施例に係るビスロープが用いられるビス締付機本体ユニットを構成するガイドカバーの概略拡大側面図である。
【図１０】図１０はビスを保持した本実施例に係るビスロープの一部を示す概略平面図及び側面図である。
【図１１】図１１はビスを保持した本実施例に係るビスロープの一部を示す側面図であり当該ビスロープに頭部径が大きなビスを用いる場合の例を示すものである。
【図１２】図１２はビスを保持した本実施例に係るビスロープの上面側から見た部分拡大断面図である。
【図１３】図１３はビスを保持した本実施例に係るビスロープの下面側から見た部分拡大断面図である
【図１４】図１４は多数のビスを保持した本実施例に係るビスロープをコイル状に巻回した状態を示す概略斜視図である。
【図１５】図１５は本実施例に係るビスロープが用いられる連続ビス締付機におけるビス締付機本体ユニットによるビスロープの締付作用位置への送り込み状態及び排出状態を示す部分拡大斜視図である。
【図１６】図１６は本実施例に係る連続ビス締付機におけるビス締付機本体ユニットによるビスロープの締付作用位置への送り込み状態及び排出状態とともに当該連続ビス締付機をもって被締結部材の先穴位置を狙って打ち込む状態を示す参考図である。
【図１７】図１７はビスを保持した従来のビスロープの一部を示す概略平面図である。
【図１８】図１８はビスを保持した従来のビスロープの一部を示す概略断面図である。
【発明を実施するための形態】
【００１４】
本発明は、特定の連続ビス締付機を使用する場合、その締付機に多数のビスを装着したビスロープを使用する際、ビス頭部の直径の大きさによる、ビスの連結ピッチの制限を緩和し、ビス頭部の外形や厚み等に関係なく、対応するビス頭部の形状の制約を緩和し、それにより、対応するビスの種類を拡大するとともに、例えば被締結部材の先穴位置を狙って打ち込むようなことも可能とした連続ビス締付機に用いるビスロープを実現し提供するという目的を、ビス締め付け用のビットを突設配置してこのビットをスイッチ操作とクラッチで回転駆動するグリップユニットと、前記グリップユニットの下方に配置され、前記グリップユニットを下降、上昇可能に支持し、前記ビットの先端を締付作用位置に臨ませるとともに、締付作用位置の側方に設けたフィーダブロック、及びこのフィーダブロックに対向配置したガイドカバーを具備し、前記フィーダブロック、及びガイドカバー間においてビスロープにより支持された複数のビスを前記締付作用位置に誘導し下方の締め付け対象箇所に連続的に締め付けるとともに、前記ガイドカバーの前記ビスロープを誘導する側の壁面には、前記ビスロープの送り込み先方側に向けて下降する傾斜形状に形成された前記ビスロープの誘導用のガイド突起部を具備するビス締付機本体ユニットと、を有する連続ビス締付機に用いるビスロープであって、前記ビスロープは、長さ方向に連なる帯状部材とこの帯状部材の背面側に所定の間隔をもって設ける綴り片とにより各ビスのネジ部の一定部位を所定の平行間隔をもって、かつ、前記ガイド突起部の傾斜角度に対応する所定の傾斜角度をもって斜め配置に保持するとともに、前記帯状部材の正面側にその長さ方向に沿ってガイド溝を連続形成して構成され、前記ビスロープにおける帯状部材の正面側において、前記ガイド溝以外の位置に前記帯状部材の長さ方向に対して多数の凹陥部を点在状態に、かつ、全長にわたって設けている構成により実現した。
【実施例】
【００１５】
以下、図面を参照して、本発明の実施例に係る連続ビス締付機に用いるビスロープについて詳細に説明する。
【００１６】
本実施例に係るビスロープ６は、以下に説明する連続ビス締付機１に用いるビスロープ６であって、この連続ビス締付機１は、本願の出願人が先に出願した特願２０１６−０９０７９３号の連続ビス締付機と略同様の構成である。以下、この連続ビス締付機１について概説する。
【００１７】
すなわち、本実施例に係る後記ビスロープ６が用いられる連続ビス締付機１は、図１乃至図３及び図１４に示すように、この連続ビス締付機１の操作者が片手で握り、下方に押し下げるとともに下方に突出させたビット２２を回転駆動してビスＳを目的箇所に締付操作するためのグリップユニット２と、前記グリップユニット２の下部に配置され前記ビット２２による回転力を利用してビスＳを目的箇所に締め付けるビス締付機本体ユニット３と、前記ビス締付機本体ユニット３の後部に着脱可能に配置され、このビス締付機本体ユニット３に対して詳細は後述するが本実施例に係るビスロープ６により保持された多数のビスＳを順に供給するマガジンユニット４と、前記グリップユニット２の上部に配置されるとともに、前記グリップユニット２に対して挿脱可能に、かつ、高さ調整可能に構成し、連続ビス締付機１の操作者が両手で（又は片手で）握って操作するハンドルユニット５と、を有している。
【００１８】
前記連続ビス締付機１においては、前記ハンドルユニット５を必須の構成とするものではない。当該ハンドルユニット５は前記グリップユニット２の上部に装着脱自在となるように構成している。
【００１９】
前記連続ビス締付機１の使用に際しては、当該ハンドルユニット５を装着して使用するか、また、ハンドルユニット５を装着しないで使用するかは自在である。
【００２０】
前記ビット２２は、一般工具のドライバーに相当する部材であり、断面形状が六角形状の軸から成るものである。このビット２２の両端には、ビスの頭部、例えば＋溝などの係合溝に係合する係合凸部を形成し、この係合凸部の近傍に、噛み合わせ用の溝が円周方向に形成してあるものである。
【００２１】
前記グリップユニット２は、操作者が片手を挿入し握るための空間を形成する表裏２枚構造のハンドルカバー１１と、このハンドルカバー１１の上部を覆うエンドカバー１２と、ハンドルカバー１１の下部に配置する筒形状のハウジング１３と、このハウジング１３の下部に順に添設する下第１カバー１４ａ、下第２カバー１４ｂと、前記下第２カバー１４ｂの更に下部に添設するブロックヘッド１５と、を有している。
【００２２】
前記エンドカバー１２の下面側には、前記ビット２２を回転駆動する図示しない回転駆動源の回転開始又は回転停止を行うためのトリガースイッチ１６を配置するとともに、その隣り位置には前記回転駆動源を正転又は逆転するためのディレクションレバー１７を取り付けている。
【００２３】
前記トリガースイッチ１６、ディレクションレバー１７は、一体型に構成されていて、偶発的な正転、逆転切り替え防止を図っている。
【００２４】
また、前記エンドカバー１２の前部側には、前記ハンドルユニット５の下端側を挿入するハンドルユニット挿入口１８を設けるとともに、前記ハンドルカバー１１の前部には前記ハンドルユニット５をグリップユニット２自体に固定し又は固定解除を行うハンドルユニットロックレバー１９を配置している。
【００２５】
前記グリップユニット２におけるエンドカバー１２の後部には、図２に示すように、前記連続ビス締付機１の動作に必要な電力供給用の電源コード（図示せず）を保持するためのコード保持部２０を取り付けている。
【００２６】
前記ブロックヘッド１５は、前記グリップユニット２と、前記ビス締付機本体ユニット３との間に介在させる平行配置の一対のガイドポール２１ａ、２１ｂの外周に対して上下動可能に嵌装する左右一対のガイドポール挿入筒１５ａ、１５ｂを平行配置で備えるとともに、一対のガイドポール挿入筒１５ａ、１５ｂの下部位置の中間部にはビット２２が挿通されるビット挿入筒１５ｃを設けている。
【００２７】
そして、前記グリップユニット２により上端部を保持したビット２２が、ビット挿入筒１５ｃを貫通する状態で下方に突出させ、このビット２２の下端側を前記ビス締付機本体ユニット３の内部に臨ませている。
【００２８】
前記ビス締付機本体ユニット３は、外観形態を画する箱形状のフィーダブロック３２を主要な構成部品とし、前記グリップユニット２から突出されビット挿入筒１５ｃを貫通したビット２２の先端部を前記フィーダブロック３２内の締付作用位置に臨ませている。
【００２９】
前記フィーダブロック３２の上面部には、前記グリップユニット２におけるブロックヘッド１５の一対のガイドポール挿入筒１５ａ、１５ｂに挿入されて、ブロックヘッド１５、すなわち、前記グリップユニット２の下降、上昇動作をガイドする一対のガイドポール２１ａ、２１ｂの下端部が装着される一対のガイドポール受部３２ａ、３２ｂを設けている。
【００３０】
前記グリップユニット２と、前記ビス締付機本体ユニット３との間には、前記ブロックヘッド１５に上端部を連結し、下端側を前記ビス締付機本体ユニット３内に臨ませた図示しないフィードレバー操作体を配置し、前記ビス締付機本体ユニット３に設けたビス送り機構部３１を構成する図示しないフィードレバーに係合させ、前記グリップユニット２の下降、上昇動作と後述するビス送り機構部３１の動作とを連動させるように構成している。
【００３１】
また、前記ビス締付機本体ユニット３は、このビス締付機本体ユニット３における締付動作に連動して、前記ビス締付機本体ユニット３の側部から供給される後記構成のビスロープ６の帯状部材７に取り付けた各ビスＳを、前記締付作用位置に送り込むビス送り機構部３１を組み込んでいる。
【００３２】
前記ビス送り機構部３１は、前記フィーダブロック３２と、このフィーダブロック３２の前面右側に該フィーダブロック３２に対して前後方向（フィーダブロック３２の奥行方向）に前記フィーダブロック３２に対する位置を調整ダイアル３４によって微調整可能に取り付けるガイドカバー３３と、を具備し、前記フィーダブロック３２とガイドカバー３３の背面側との間の領域において後記ビスロープ６とともにビスＳを通過させビスＳのビス頭を締付作用位置に誘導するように構成している。
【００３３】
また、前記ビス送り機構部３１は、詳細構造は省略するが前記フィードレバー、図１に示すグリップフィンガー３５、図示しないリンク機構等を含み、前記グリップユニット２の下降、上昇動作に連動して前記フィードレバー操作体、フィードレバー、グリップフィンガー３５等を動作させ、後記ビスロープ６により保持されているビスＳの締付作用位置への誘導、締付作用位置でのビスＳの保持、締め付け終了後の後記構成のビスロープ６の空部位の側方への排出を行うようになっている。
【００３４】
前記ビス締付機本体ユニット３の下部には、スクリューガイド４４を含むスクリューガイド位置調整機構部４１を配置している。
【００３５】
すなわち、前記ビス締付機本体ユニット３の下部には、締め付けられるビスＳを通過させるとともに、その下端面を前記ビスＳの締め付け対象箇所の面上に当接させるスクリューガイド４４を配置している。
【００３６】
そして、前記スクリューガイド４４に下端部を連結し垂直上方に立設したアジャスタープレート４２をフィーダブロック３２内に臨ませ、前記フィーダブロック３２に設けたアジャストレバー４３の操作によりアジャスタープレート４２をフィーダブロック３２に対して位置調整可能に、かつ、連結及び連結解除可能とすることで、前記スクリューガイド４４の前記ビス締付機本体ユニット３に対する位置（ビス締付機本体ユニット３からの突出位置）を調整するように構成している。
【００３７】
次に、後記構成のビスロープ６により保持された多数のビスＳを順に前記ビス締付機本体ユニット３のフィーダブロック３２、ガイドカバー３３の間に供給する前記マガジンユニット４について概説する。
【００３８】
前記マガジンユニット４は、図１乃至図３、及び図１４に示すように、前記ビス締付機本体ユニット３の背面側に配置されるとともに、多数のビスＳを取り付けた後記ビスロープ６を円形コイル状に巻回した状態で内部に収納する有底円筒状のマガジン本体５１と、このマガジン本体５１の開口部を施蓋する開閉可能な蓋体５２と、前記マガジン本体５１の外周の一部に設けた装着部５３と、を具備し、前記装着部５３を前記ビス締付機本体ユニット３の背面側に着脱可能な状態で装着することで、前記マガジン本体５１、蓋体５２を前記ビス締付機本体ユニット３と一体化し、また、必要に応じて分離し得るように構成している。
【００３９】
更に、前記マガジンユニット４のマガジン本体５１には、後記ビスロープ６用の繰り出し口５４、マガジンサイドカバー５５を設けている。なお、上記マガジンサイドカバー５５を設けない構成としても実施できる。
【００４０】
次に、前記ビスＳを保持するビスロープ６の具体的構成について、図１０乃至図１３を参照して説明する。
【００４１】
本実施例に係るビスロープ６は、長さ方向に連なる四角形の帯状部材７と、この帯状部材７の背面側に所定の間隔をもって設ける綴り片８とにより各ビスＳのネジ部Ｓ１の一定部位を所定の平行間隔をもって、かつ、所定の傾斜角度θをもって斜め配置に保持している。
【００４２】
前記ビスロープ６は、前記帯状部材７の正面側にその長さ方向に沿って一定幅のガイド溝９を連続形成し、更に、前記ガイド溝９の上側位置に多数の上側凹陥部１０ａを点在状態に、全長にわたって設け、前記ガイド溝９の下側位置に多数の下側凹陥部１０ｂを点在状態に、全長にわたって設けている。
なお、本発明において、前記上側凹陥部１０ａ、下側凹陥部１０ｂは、これらを設ける位置を図示例に限定するものではなく、前記ビスロープ６における帯状部材７の正面側において、前記ガイド溝９以外のいずれかの位置に前記帯状部材７の長さ方向に対して多数の凹陥部を点在状態に、かつ、全長にわたって設けて構成しても良い。
【００４３】
すなわち、前記帯状部材７は、その断面（又は端面）形状を概略凹状に形成している。
【００４４】
上述した上側凹陥部１０ａ、下側凹陥部１０ｂは、前記ビスロープ６の曲げバランスとビスロープ６のコイル形状を調整するために設けるものであり、前記ビスロープ６に対しいずれか一方のみ設けても良いし、双方を設けても良いが、上側凹陥部１０ａ、下側凹陥部１０ｂの双方を設けた場合のほうが後述するように良好な曲げ性を得ることが判明した。
【００４５】
次に、前記ビス締付機本体ユニット３におけるビス送り機構部３１を構成するフィーダブロック３２、ガイドカバー３３について、図４乃至図９を参照して更に詳述する。
前記ガイドカバー３３は、その正面上部に、円形段カム３６を具備し、この円形段カム３６に調整ダイアル３４を装着し、調整ダイアル３４を回転操作することで前記フィーダブロック３２に対する前後方向（フィーダブロック３２の厚さ方向）の位置を微調整し、これにより、フィーダブロック３２、ガイドカバー３３間のビスロープ６の通過領域の間隔寸法を調整し得るように構成している。
【００４６】
また、前記ガイドカバー３３の前記ビスロープ６を誘導する側の壁面には、前記ビスロープ６の送り込み先方側に向けて下降する傾斜形状（傾斜角度θ）に形成され、前記帯状部材７のガイド溝９に係合して前記ビスロープ６を傾斜状態で誘導するガイド突起部３７と、このガイド突起部３７の上下両側に同じく傾斜角度θをもって形成した一対のガイドカバー凹陥部３８ａ、３８ｂとを設けている。
【００４７】
そして、前記ガイド突起部３７を前記帯状部材７のガイド溝９に係合させるとともに前記帯状部材７のガイド溝９の両側における正面側の一対の突出領域を前記一対のガイドカバー凹陥部３８ａ、３８ｂ内に各々没入させた状態で前記ビスＳを保持するビスロープ６を傾斜状態で誘導するように構成している。
【００４８】
前記ビス締付機本体ユニット３は、更に前記フィーダブロック３２の正面側で前記締付作用位置より先方側に第１空ビスロープガイド片６１、第２空ビスロープガイド片６２を設け、図１４に示すように、締め付け動作が終了しビスＳが離脱した後のビスロープ６の部位（空部位）を第１空ビスロープガイド片６１、第２空ビスロープガイド片６２によりビス締付機本体ユニット３の側方に排出するように構成している。
【００４９】
次に、本実施例に係るビスロープ６及びこのビスロープ６を使用する連続ビス締付機１の作用効果について、前記ビスロープ６自体の作用効果と、このビスロープ６を使用した場合の連続ビス締付機１による各ビスＳの締付作用位置へ誘導、及びビスロープ６の排出動作を主にし、かつ、図１４をも参照して説明する。
【００５０】
上述した構成の本実施例に係るビスロープ６によれば、各ビスＳを所定の平行間隔をもって、かつ、所定の傾斜角度θをもって斜め配置に保持することにより、各ビスＳとして頭部直径が大きいものを使用する場合においても、隣り合うビスＳの頭部同士が干渉（接触）することが無くなり、これにより、各ビスＳの頭部直径が例えば連結ピッチ以上の場合でも、ビスロープ６における各ビスＳの連結ピッチを不変とすることが可能となり、使用するビスＳの種類選択の自由度を拡大することが可能となる。なお、例えば頭部径が大きなビスを用いる場合、図１１に示すように、各ビス頭を夫々オーバーラップするような形態で隣り合うビスの頭部同士が干渉（接触）すること無く円滑に使用可能となる。
【００５１】
また、図１４に示すように、多数のビスＳを連続的に保持した本実施例に係る上述した構成からなるビスロープ６をコイル状に巻回した場合、前記ビスロープ６として既述したようなガイド溝９の両側に上側凹陥部１０ａ、下側凹陥部１０ｂの双方を設けたものを使用することによって、ビスロープ６のコイル状への巻回時における前記ガイド溝９の上側、下側の曲げバランスが良好となり、この結果、前記ビスロープ６により保持される多数のビスＳを全体として良好な状態で塊状として前記マガジン本体５１内に適切に収納し、繰り出し口５４から円滑に繰り出すことが可能であることが判明した。
【００５２】
更に、前記ビスロープ６のガイド溝９の下側位置に下側凹陥部１０ｂを点在状態で連続的に設けているので、例えば空ロープの曲がりをコントロールすることができる。
【００５３】
これに対して、前記ビスロープ６においてガイド溝９の下側のみ或いは上側のみに下側凹陥部１０ｂまたは上側凹陥部１０ａを設けた構造のものを使用した場合、前記ガイド溝９の上側、下側の曲げバランスが良好でなくなり、多数のビスＳが全体としてその外観形態がハの字状、若しくは逆ハの字状を呈する塊状となり、前記マガジン本体５１内に適切に収納できないものであった。
【００５４】
このように、前記ビスロープ６として既述したようなガイド溝９の両側に、上側凹陥部１０ａ、下側凹陥部１０ｂの双方を設けたものを使用することは、前記ビスロープＳ自体をコイル状に巻回した状態での多数のビスＳ全体の外観形態の形状コントロールの容易化に寄与するものである。
【００５５】
また、本実施例に係るビスロープ６を使用する連続ビス締付機１によれば、前記構成のビスロープ６が使用されたときのみ、図１４に示すように、前記ガイドカバー３３のガイド突起部３７と前記ビスロープ６のガイド溝９との係合により前記ビスロープ６を傾斜状態で、かつ、各ビスＳを垂直状態としつつ前記ビット２２の締付作用位置側に至るほど各ビスＳのビス頭の高さ位置を低下させる態様で前記締付作用位置へ順に誘導し、各ビスＳの締め付け動作終了後、締付作用位置の側方にビスＳの離脱部位を前記第１空ビスロープガイド片６１、前記第２空ビスロープガイド片６２によりガイドしつつ順に締め付け目的箇所の上面に接触させることなく円滑に排出することができる。
更にまた、以上説明した本実施例に係るビスロープ６を使用する連続ビス締付機１によれば、図１６に示すように、例えば被締結部材の先穴位置を狙って打ち込むようなことが可能となる。
【００５６】
このような本実施例に係るビスロープ６及びこのビスロープ６を使用する連続ビス締付機１によれば、連続ビス締付機１とビスロープ６との組み合わせの一元化を図り、ある連続ビス締付機１に対してこの連続ビス締付機１のみに使用できるビスロープ６、及び当該ビスロープ６を使用した場合にのみ連続ビス締付作業が実行可能な連続ビス締付機１を実現し提供することができる。
【産業上の利用可能性】
【００５７】
本発明は、トラック荷台の床面等、ビルディング、家屋等の建造物の床等を構成する構造材へのビスの締付作業、船舶の床等の構造材へのビスの締付作業等に使用する連続ビス締付機及びこの連続ビス締付機用のビスロープとして好適に適用可能である。
【符号の説明】
【００５８】
１    連続ビス締付機
２    グリップユニット
３    ビス締付機本体ユニット
４    マガジンユニット
５    ハンドルユニット
６    ビスロープ
７    帯状部材
８    綴り片
９    ガイド溝
１０ａ  上側凹陥部
１０ｂ  下側凹陥部
１１    ハンドルカバー
１２    エンドカバー
１３    ハウジング
１４ａ  下第１カバー
１４ｂ  下第２カバー
１５    ブロックヘッド
１５ａ  ガイドポール挿入筒
１５ｂ  ガイドポール挿入筒
１５ｃ  ビット挿入筒
１６    トリガースイッチ
１７    ディレクションレバー
１８    ハンドルユニット挿入口
１９    ハンドルユニットロックレバー
２０    コード保持部
２１ａ  ガイドポール
２１ｂ  ガイドポール
２２    ビット
３１    ビス送り機構部
３２    フィーダブロック
３２ａ  ガイドポール受部
３２ｂ  ガイドポール受部
３３    ガイドカバー
３４    調整ダイアル
３５    グリップフィンガー
３６    円形段カム
３７    ガイド突起部
３８ａ  ガイドカバー凹陥部
３８ｂ  ガイドカバー凹陥部
４１    スクリューガイド位置調整機構部
４２    アジャスタープレート
４３    アジャストレバー
４４    スクリューガイド
５１    マガジン本体
５２    蓋体
５３    装着部
５４    繰り出し口
５５    マガジンサイドカバー
６１    第１空ビスロープガイド片
６２    第２空ビスロープガイド片
Ｓ    ビス
Ｓ１  ネジ部
【図１】
2018105342.tif 000003
【図２】
2018105342.tif 000004
【図３】
2018105342.tif 000005
【図４】
2018105342.tif 000006
【図５】
2018105342.tif 000007
【図６】
2018105342.tif 000008
【図７】
2018105342.tif 000009
【図８】
2018105342.tif 000010
【図９】
2018105342.tif 000011
【図１０】
2018105342.tif 000012
【図１１】
2018105342.tif 000013
【図１２】
2018105342.tif 000014
【図１３】
2018105342.tif 000015
【図１４】
2018105342.tif 000016
【図１５】
2018105342.tif 000017
【図１６】
2018105342.tif 000018
【図１７】
2018105342.tif 000019
【図１８】
2018105342.tif 000020